(57)【要約】【課題】透光性の宝飾石の輝きを損なうことなく宝飾石を保持することができ、さらに、宝飾石のパビリオンから光を入射させて、これまでにない輝きを発揮することのできる装飾品を提供すること。【解決手段】装飾品１において、基台３０にはパビリオン１１１の一部のみが挿入される固定穴３１が形成され、固定穴３１の縁部分３１０と、宝飾石１０のパビリオン１１１において縁部分３１０と対向する部分とが接着剤４０により固定されており、パビリオン１１１の一部のみに接着剤４０が塗布されている。この状態において、パビリオン１１１の大部分が開放状態にあるので、光源装置５からパビリオン１１１に光を入射させてクラウン１１２側から出射させる。【選択図】図１
2009100856.tif 000002
【特許請求の範囲】
【請求項１】
多面にカットされた上側のクラウン、および下側のパビリオンを備えた透光性の宝飾石を有する装飾品において、
前記宝飾石は、透光性の樹脂材料により保持されていることを特徴とする装飾品。
【請求項２】
前記パビリオンの一部のみが挿入される固定穴が形成された基台を備え、
前記宝飾石は、前記固定穴の縁部分と、前記パビリオンにおいて前記縁部分と対向する部分とが前記樹脂材料としての接着剤により固定されていることを特徴とする請求項１に記載の装飾品。
【請求項３】
前記接着剤は、前記パビリオンの周方向において離間する複数個所で前記固定穴の縁部分と前記パビリオンとを固定していることを特徴とする請求項２に記載の装飾品。
【請求項４】
前記接着剤は、前記パビリオンでの多面カットにより生じた凸部分で前記固定穴の縁部分と前記パビリオンとを固定していることを特徴とする請求項３に記載の装飾品。
【請求項５】
前記宝飾石は、前記樹脂材料としての基台にアウトサートモールドされて当該基台に保持されていることを特徴とする請求項１に記載の装飾品。
【請求項６】
前記基台に対して前記パビリオン側が位置する側には、前記パビリオンに向けて光を出射するための光源を備えた光源装置が配置されていることを特徴とする請求項１乃至５の何れか一項に記載の装飾品。
【請求項７】
前記光源装置は、前記光源から出射された光の輝度分布を調整する光学部品を備えていることを特徴とする請求項６に記載の装飾品。
【請求項８】
前記光源は、ＬＥＤであることを特徴とする請求項６または７に記載の装飾品。
【請求項９】
前記宝飾石は、キュービックジルコニア体であり、
前記クラウンには、１層あるいは複数層のシリコン系化合物層からなる透光性のコーティング層が形成されていることを特徴とする請求項１乃至８の何れか一項に記載の装飾品。
【請求項１０】
前記コーティング層では、前記窒化シリコン層および前記酸化シリコン層が各々２層以上積層されてなることを特徴とする請求項９に記載の装飾品。
【発明の詳細な説明】
【技術分野】
【０００１】
本発明は、宝飾石を備えた装飾品に関するものである。
【背景技術】
【０００２】
宝飾石を用いた装飾品のうち、最も代表的な装飾品である指輪などでは、ブリリアントカットされた宝飾石のクラウンの一部やガードルが金属製の基台の爪部分によって保持されており、図１０（ａ）に示すように、上側のクラウン１１２から入射した光は、下側のパビリオン１１１で反射して再び、クラウン１１２から出射される（特許文献１参照）。
【特許文献１】特開２００１−１３７０１９号公報
【発明の開示】
【発明が解決しようとする課題】
【０００３】
しかしながら、宝飾石のクラウンの一部やガードルが金属製の基台の爪部分によって保持されている場合には、クラウンの一部が爪部分で覆われているため、出射すべき光が爪部分で遮られる分、輝きが損なわれるとともに、爪部分を折り曲げる際、クラウンに傷が付くおそれがある。
【０００４】
また、装飾品の種類によっては、クラウン１１２まで基台の爪部分が被さる構造を採用できない場合があり、このような場合、図１０（ｂ）に示すように、下側のパビリオン１１１を遮光性の接着剤４０により基台に全面接着した構造が考えられる。しかしながら、図１０（ｂ）に示す構造では、パビリオン１１１での反射率が低下し、輝きが低下するという問題点がある。
【０００５】
以上の問題点に鑑みて、本発明の課題は、透光性の宝飾石の輝きを損なうことなく宝飾石を保持することができる装飾品を提供することにある。
【０００６】
また、本発明の課題は、宝飾石のパビリオンから光を入射させて、これまでにない輝きを発揮することのできる装飾品を提供することにある。
【課題を解決するための手段】
【０００７】
上記課題を解決するために、本発明では、多面にカットされた上側のクラウン、および下側のパビリオンを備えた透光性の宝飾石を有する装飾品において、前記宝飾石は、透光性の樹脂材料により保持されていることを特徴とする。
【０００８】
本発明では、宝飾石が透光性の樹脂材料で保持されているため、宝飾石への光の入射、および宝飾石からの光の出射が妨げられることがない。それ故、透光性の宝飾石の輝きを損なうことなく宝飾石を基台に保持することができる。
【０００９】
本発明において、前記パビリオンの一部のみが挿入される固定穴が形成された基台を備え、前記宝飾石は、前記固定穴の縁部分と、前記パビリオンにおいて前記縁部分と対向する部分とが前記樹脂材料としての接着剤により固定されていることが好ましい。このように構成すると、基台にはパビリオンの一部のみが挿入される固定穴が形成され、固定穴の縁部分と、パビリオンにおいて縁部分と対向する部分とが接着剤により固定されているため、基台にクラウンに重なる爪部分がなくても、宝飾石を基台に確実に固定することができる。また、宝飾石と基台とは、基台の固定穴の縁部分と、パビリオンにおいて縁部分と対向する部分とが接着剤により固定されているため、パビリオンにおいて接着剤が塗布されている領域が極めて狭い。それ故、パビリオンでの反射率が高いので、クラウン側から入射した光は、パビリオンで反射して再び、クラウン側から出射されるため、優れた輝きを発揮する。
【００１０】
本発明において、前記接着剤は、前記パビリオンの周方向において離間する複数個所で前記固定穴の縁部分と前記パビリオンとを固定していることが好ましい。このように構成すると、パビリオンにおいて接着剤が塗布されている領域を最小限に止めることができるので、クラウン側から入射した光は、パビリオンで反射して再び、クラウン側から出射され、優れた輝きを発揮する。
【００１１】
本発明において、前記接着剤は、前記パビリオンでの多面カットにより生じた凸部分で前記固定穴の縁部分と前記パビリオンとを固定していることが好ましい。このように構成すると、接着剤の塗布領域が広がらないので、パビリオンにおいて接着剤が塗布されている領域を最小限に止めることができる。
【００１２】
本発明において、前記宝飾石は、前記樹脂材料としての基台にアウトサートモールドされて当該基台に保持されている構成を採用してもよい。このように構成すると、クラウンの一部が基台で覆われるが、基台は透光性の樹脂材料からなるため、光の出射を損なわない。また、金属製の基台を用いる場合と違って、爪部分を加工する際、宝飾石に傷が付くこともない。
【００１３】
本発明において、前記基台に対して前記パビリオン側が位置する側には、前記パビリオンに対して光を出射するための光源を備えた光源装置が配置されていることが好ましい。本発明では、パビリオンの大部分が透光状態にあるので、光源装置によって、パビリオンに光を入射させてクラウン側から出射させることができ、宝飾石に対して、これまでにない輝きを発揮させることができる。それ故、携帯電話機の外ケースなどに、これまでない意匠性を付与することができる。
【００１４】
本発明において、前記光源装置は、前記光源から出射された光の輝度分布を調整する光学部品、例えば、多数の凹凸が形成された光散乱シートや、多数のプリズム面が形成されたプリズムシートを備えていることが好ましい。このように構成すると、光源から出射された光が、輝度分布が調整された状態でパビリオンに入射するので、宝飾石に対して、これまでにない輝きを発揮させることができる。
【００１５】
本発明において、前記光源は、ＬＥＤであることが好ましい。ＬＥＤであれば小型であるにもかかわらず、十分な光を出射することができる。また、携帯電話機などの電子機器ではＬＥＤが搭載されていることが多いので、かかるＬＥＤから出射された光の一部を、電子機器の一部に形成した装飾品（装飾部分）から出射する構成を採用することもでき、このように構成すると、携帯電話機でもモードに対応した輝きを発揮させることもできる。
【００１６】
本発明において、前記宝飾石はキュービックジルコニア体であり、前記クラウンには、１層あるいは複数層のシリコン系化合物層からなる透光性のコーティング層が形成されていることが好ましい。キュービックジルコニア体に対する保護や、出射光の品位を高めることを目的に透光性のコーティング層を形成する際、シリコン系化合物層は、酸化チタン層や酸化ニオブ層に比して、強度が強く、傷や磨耗が発生しにくいという利点がある。
【００１７】
本発明において、前記コーティング層では、前記窒化シリコン層および前記酸化シリコン層が各々２層以上積層されてなることが好ましい。このように構成すると、窒化シリコン層は酸化シリコン層に比して屈折率が大きく、酸化シリコン層は窒化シリコン層に比して屈折率が小さいので、コーティング層に入射した光は、窒化シリコン層と酸化シリコン層との界面で反射されるため、膜構成に応じた色調を生じることができるとともに、優れた輝きを発揮する。
【発明の効果】
【００１８】
本発明においては、宝飾石が透光性の樹脂材料で保持されているため、宝飾石への光の入射、および宝飾石からの光の出射が妨げられることがない。それ故、透光性の宝飾石の輝きを損なうことなく宝飾石を基台に保持することができる。また、基台に対してパビリオン側が位置する側に光源装置を配置した場合、光源装置によって、パビリオンに光を入射させてクラウン側から出射させることができ、宝飾石に対して、これまでにない輝きを発揮させることができる。それ故、携帯電話機の外ケースなどに、これまでない意匠性を付与することができる。
【発明を実施するための最良の形態】
【００１９】
以下に、図面を参照して、本発明を適用した装飾品について説明する。なお、窒化シリコンは通常、ＳｉＮxとして表され、酸化シリコンは通常、ＳｉＯxとして表されるが、以下、窒化シリコンについてはＳｉ3Ｎ4と表し、酸化シリコンについてはＳｉＯ2と表す。
【００２０】
［実施の形態１］
図１（ａ）、（ｂ）は、本発明の実施の形態１に係る装飾品の断面構成を模式的に示す説明図、およびこの装飾品での接着剤の塗布位置を模式的に示す説明図である。図２（ａ）〜（ｄ）は各々、本形態の装飾品に用いた宝飾石（キュービックジルコニア体）の構成を模式的に示す説明図、この宝飾石をラウンドブリリアントカットしたときの側面図、平面図および側面図である。図３（ａ）、（ｂ）は各々、本形態の装飾品に用いた宝飾石（キュービックジルコニア体）に形成したコーティング層の層構成を示す説明図である。図４は、本発明を適用した装飾品の製造方法でマスクスパッタ法を採用した場合の説明図である。
【００２１】
図１（ａ）に示す装飾品１は、透光性の宝飾石１０と、この宝飾石１０が固定された板状の基台３０とを備えており、本形態において、基台３０は、携帯電話機などの電子機器に用いられている金属製あるいはプラスチック製の外ケースである。
【００２２】
宝飾石１０は、図２（ａ）〜（ｄ）に示すように、多面の円錐状のパビリオン１１１の上部に多面の円錐台状のクラウン１１２を備えるようにブリリアントカットされたキュービックジルコニア体１１を備えており、クラウン１１２側の表面には透光性のコーティング層１３が形成されている。
【００２３】
本形態において、コーティング層１３は、図３（ａ）に示すように、複数層のシリコン系化合物層からなる。さらに具体的には、コーティング層１３では、窒化シリコン層（Ｓｉ3Ｎ4／可視域での屈折率＝約２．０）および酸化シリコン層（ＳｉＯ2／可視域での屈折率＝約１．４６）が交互に６層ずつ形成されており、その最下層において、キュービックジルコニア体１１と接する層は窒化シリコン層である。また、コーティング層１３において、最上層は、酸素より窒素を多く含む酸窒化シリコン層（ＳｉＮxＯy）になっている。かかる層はいずれも、反応性スパッタ法により形成されている。すなわち、ターゲットをシリコンとして、キュービックジルコニア体１１にスパッタ法により成膜する際、アルゴンガス（放電ガス）などに反応ガスとして窒素ガスを導入して窒化シリコン層を形成する操作と、アルゴンガスなどに反応ガスとして酸素ガスを導入して酸化シリコン層を形成する操作とを交互に行ない、最後に、アルゴンガスなどに反応ガスとして酸素ガスおよび窒素ガスを導入して、酸窒化シリコン層を形成する操作を行なう。かかるスパッタ法によれば、成膜時の成膜分子のエネルギーが蒸着法に比して大きいので、層の密着性を高めることができる。
【００２４】
その際、成膜時間を制御すれば、各層の厚さを制御することができ、表１に示す層構成を実現することができる。表１において、例えば、最も左欄に示す膜厚プロファイルを示すように、コーティング層１３を形成すれば、赤みがかった光が宝飾石１０から出射され、膜厚プロファイルを右側に示すように条件変更するにともなって、宝飾石１０から出射される光が帯びる色合いは、黄色、緑色、青色に変化する。
【００２５】
【表１】
2009100856.tif 000003
【００２６】
また、本形態のように、多面のクラウン１１２の表面にコーティング層１３を形成すると、場所によって、各層の厚さが連続的に変化し、表１の最も左欄に示す膜厚プロファイルを有する部分からは、赤みがかった光が出射され、その他の部分からは、黄色、緑色、青色を帯びた光が出射される。それ故、装飾品１０からは虹色の光が出射されることになる。
【００２７】
ここで、コーティング層１３の形成工程において、多面のクラウン１１２の一部の表面に膜厚の薄い層を積極的に形成するには、図４に示すように、その箇所にスパッタ時のスパッタ分子（粒子）の入射量を抑えるマスキング治具９０を配置する。このような方法を採用すると、マスキング治具９０を配置した部分のクラウン１１２の表面には膜厚の薄い層が形成され、マスキング治具９０を配置しない部分のクラウン１１２の表面には膜厚の厚い層が形成されることとなる。そのため、クラウン１１２の場所によって、各層の厚さが連続的に変化することとなるので、表１の最も左欄に示す膜厚プロファイルを有する部分からは赤みがかった光が出射され、その他の部分からは、黄色、緑色、青色を帯びた光が出射される。それ故、装飾品１０からは虹色の光が出射されることになる。
【００２８】
また、コーティング層１３で反射される反射光（原色側）と、クラウン１１２側から入射した光がパビリオン１１１内で反射してコーティング層１３側に戻る戻り光、あるいはパビリオン１１１側から照射されてコーティング層１３側に向かって放出される光（補色側）との２つの光が重なり合うことによって、装飾品１０は、特有の色調をもつ光を出射することになる。
【００２９】
なお、本形態では、酸素より窒素を多く含む酸窒化シリコン層を用いたが、酸窒化シリコン層に代えて、窒素より酸素を多く含む窒酸化シリコン層を用いてもよい。また、コーティング層１３は、図３（ｂ）および表２に示すように、窒化シリコン層（Ｓｉ3Ｎ4）および酸化シリコン層（ＳｉＯ2）が交互に４層ずつ形成された構造でもよく、図３（ｂ）に示すコーティング層１３は、その最下層において、キュービックジルコニア体１１と接する層は酸化シリコン層になっている。また、コーティング層１３において、最上層は酸化シリコン層になっており、酸化シリコン層は計５層になっている。かかる層構成によれば、ピンク光が出射される。
【００３０】
【表２】
2009100856.tif 000004
【００３１】
このように構成した宝飾石１０を、図１（ａ）に示す基台３０に固定するにあたって、基台３０には、宝飾石１０のパビリオン１１１の一部のみが下方に突き出る貫通穴からなる固定穴３１が形成されており、本形態では、固定穴３１の斜め上向きの縁部分３１０と、パビリオン１１１において縁部分３１０と対向する部分とが透光性の接着剤４０（透光性の樹脂材料）により固定されている。ここで、パビリオン１１１には、多面カットにより複数の稜線部分１１６（凸部分）が形成されており、図１（ｂ）、図２に示す例では６箇所の稜線部分１１６が周方向で等角度間隔に形成されている。本形態において、接着剤４０は、稜線部分１１６と固定穴３１の縁部分３１０とを固定している。本形態において、接着剤４０としては、紫外線硬化樹脂など、低屈折率、かつ、透明性の高い樹脂が望ましい。より具体的には、接着剤４０は、キュービックジルコニア体１１（屈折率＝約２．１９）よりも屈折率の低い接着剤、例えばＵＶ硬化性のアクリル樹脂（屈折率＝約１．５０）や、エポキシ樹脂（屈折率＝約１．６０）からなり、パビリオン１１１の稜線部分１１６に塗布されている。
【００３２】
また、本形態では、基台３０に対してパビリオン１１１側が位置する側には、パビリオン１１１に対して光を出射するための光源５１をパビリオン１１１の真下位置に備えた光源装置５が配置されている。本形態において、光源５１は、基板５２上に実装された白色ＬＥＤからなり、その表面は透光性のケーシング５３で覆われている。
【００３３】
以上説明したように、本形態の装飾品１において、基台３０にはパビリオン１１１の一部のみが挿入される固定穴３１が形成され、固定穴３１の縁部分３１０と、宝飾石１０のパビリオン１１１において縁部分３１０と対向する部分とが接着剤４０により固定されている。このため、基台３０にクラウン１１２に重なる爪部分がなくても、宝飾石１０を基台３０に確実に固定することができる。
【００３４】
また、宝飾石１０と基台３０とは、基台３０の固定穴３１の縁部分３１０と、パビリオン１１１において縁部分３１０と対向する部分とが接着剤４０により固定されているため、パビリオン１１１において接着剤４０が塗布されている領域が極めて狭い。それ故、パビリオン１１１の壁面での反射率が高いので、図１に矢印で示すように、クラウン１１２側から入射した光は、パビリオン１１１で反射して再び、クラウン１１２側から出射されるので、優れた輝きを発揮する。
【００３５】
また、接着剤４０は、パビリオン１１１の周方向において離間する複数個所で固定穴３１の縁部分３１０とパビリオン１１１とを固定しているため、パビリオン１１１において接着剤４０が塗布されている領域を最小限に止めることができる。しかも、接着剤４０は、パビリオン１１１において多面カットにより形成された複数の稜線部分１１６（凸部分）で固定穴３１の縁部分３１０とパビリオン１１１とを固定しているため、接着剤４０の広がりを防止でき、パビリオン１１１において接着剤４０が塗布されている領域が極めて狭い。それ故、クラウン１１２側から入射した光は、パビリオン１１１で反射して再び、クラウン１１２側から効率よく出射されるので、優れた輝きを発揮する。
【００３６】
さらに、本形態では、パビリオン１１１の大部分が開放状態にあるので、光源装置５によって、パビリオン１１１に光を入射させてクラウン１１２側から出射させている。それ故、宝飾石１０に対して、これまでにない輝きを発揮させることができる。
【００３７】
さらにまた、本形態では、キュービックジルコニア体１１に対する保護や、出射光の品位を高めることを目的に透光性のコーティング層１３を形成しているが、かかるコーティング層１３はシリコン系化合物層からなるため、酸化チタン層や酸化ニオブ層に比して、強度が強く、傷や磨耗が発生しにくい。しかも、コーティング層１３では、窒化シリコン層および酸化シリコン層が各々２層以上積層されており、窒化シリコン層は酸化シリコン層に比して屈折率が大きく、酸化シリコン層は窒化シリコン層に比して屈折率が小さい。それ故、コーティング層１３に入射した光は、窒化シリコン層と酸化シリコン層との界面で反射しながら、クラウン１１２側から出射されるため、膜構成に対応する特有の色調をもった光を優れた輝きをもって出射する。
【００３８】
ここで、コーティング層１３は、透過強度と反射強度が補色の関係にある。このため、例えば、クラウン１１２で緑色を強く反射させるようなコーティング層１３を形成すると、昼間、外光がクラウン１１２に入射すると、宝飾石１０が緑色に光る一方、夜間、光源５１から出射された白色光のうち、緑色と補色の関係にあるピンク色の光が透過しやすいので、宝飾石１０はピンク色に光る。それ故、携帯電話機の外ケースにこれまでにない意匠性を付与することができる。
【００３９】
［実施の形態２］
図５は、本発明の実施の形態２に係る装飾品の断面構成を模式的に示す説明図である。なお、本形態の基本的な構成は、実施の形態１と同様であるため、共通する部分には同一の符号を付してそれらの説明を省略する。
【００４０】
図５に示す装飾品１は、実施の形態１と同様、透光性の宝飾石１０と、この宝飾石１０が固定された板状の基台３０とを備えている。宝飾石１０は、図２（ａ）〜（ｄ）を参照して説明したように、多面の円錐状のパビリオン１１１の上部に多面の円錐台状のクラウン１１２を備えるようにブリリアントカットされたキュービックジルコニア体１１を備えており、クラウン１１２側の表面には透光性のコーティング層１３が形成されている。
【００４１】
このように構成した宝飾石１０を、基台３０に固定するにあたって、本形態でも実施の形態１と同様、基台３０には、宝飾石１０のパビリオン１１１の一部のみが突き出る固定穴３１が形成されており、本形態では、固定穴３１の斜め上向きの縁部分３１０と、パビリオン１１１において縁部分３１０と対向する部分とが接着剤４０により固定されている。
【００４２】
さらに、本形態でも、実施の形態１と同様、基台３０に対してパビリオン１１１側が位置する側には、パビリオン１１１に対して光を出射するための光源５１を備えた光源装置５が配置されている。
【００４３】
本形態において、光源５１は、パビリオン１１１の真下位置ではなく、パビリオン１１１から側方にずれた位置に配置され、光源５１（ＬＥＤ）が実装された基板５２は、光源５１を横向き姿勢にして基台３０の下面に固定されている。このため、光源装置５０が占有するスペースの薄型化を図ることができ、携帯電話機などへの搭載に適している。
【００４４】
このように構成した本形態の装飾品１においても、実施の形態１と同様、基台３０にクラウン１１２に重なる爪部分がなくても、宝飾石１０を基台３０に確実に固定することができる。また、パビリオン１１１において接着剤４０が塗布されている領域が極めて狭いため、クラウン１１２側から入射した光は、パビリオン１１１で反射して再び、クラウン１１２側から出射されるので、優れた輝きを発揮する。さらに、光源装置５によって、パビリオン１１１に光を入射させてクラウン１１２側から出射させているので、宝飾石１０に対して、これまでにない輝きを発揮させることができるなど、実施の形態１と同様な効果を奏する。
【００４５】
［実施の形態３］
図６は、本発明の実施の形態３に係る装飾品の断面構成を模式的に示す説明図である。なお、本形態の基本的な構成は、実施の形態１と同様であるため、共通する部分には同一の符号を付してそれらの説明を省略する。
【００４６】
図６に示す装飾品１でも、実施の形態１と同様、基台３０に対してパビリオン１１１側が位置する側には、パビリオン１１１に対して光を出射するための光源５１を備えた光源装置５が配置されている。本形態において、光源５１は、パビリオン１１１の真下位置ではなく、パビリオン１１１から側方にずれた位置に配置され、光源５１（ＬＥＤ）は斜め上向きに配置されている。
【００４７】
ここで、光源装置５は、光源５１から出射された光の輝度分布を調整する光学部品５５が配置されている。本形態において、光学部品５５には、光源５１から出射された光を様々な方向に向けて出射する多数のプリズム面が形成されているとともに、その表面には光散乱用の微細な凹凸が形成されており、光学部品５５は、光散乱シートおよびプリズムシートの機能を備えている。このこのように構成すると、光源５１から出射された光が輝度分布が調整された状態でパビリオン１１１に入射するので、宝飾石１０に対して、これまでにない輝きを発揮させることができる。また、光源装置５は、パビリオン１１１の真下で光を出射するので、実施の形態２に比して、光をパビリオン１１１内に効率よく入射させることができる。
【００４８】
［実施の形態４］
図７は、本発明の実施の形態４に係る装飾品の断面構成を模式的に示す説明図である。なお、本形態の基本的な構成は、実施の形態１と同様であるため、共通する部分には同一の符号を付してそれらの説明を省略する。
【００４９】
図７に示す装飾品１でも、実施の形態１と同様、基台３０に対してパビリオン１１１側が位置する側には、パビリオン１１１に対して光を出射するための光源５１（ＬＥＤ）を備えた光源装置５が配置されている。本形態において、光源５１は、パビリオン１１１の真下位置ではなく、パビリオン１１１から側方にずれた位置に横向きに配置され、光源５１の出射面に対向する位置に導光板５６が配置されている。
【００５０】
ここで、導光板５６に対してパビリオン１１１と反対側には反射板５４が配置されている一方、導光板５６とパビリオン１１１との間には、プリズムシート５７および光散乱シート５８が配置されている。プリズムシート５７および光散乱シート５８は、光源５１から出射された光の輝度分布を調整する機能を担い、反射板５４は、光源５１から出射された光を効率よくパビリオン１１１に向けて導く機能を担っている。このように構成した場合も、実施の形態３と同様、光源５１から出射された光が輝度分布が調整された状態でパビリオン１１１に入射するので、宝飾石１０に対して、これまでにない輝きを発揮させることができる。また、光源装置５は、パビリオン１１１の真下で光を出射するので、実施の形態２に比して、光をパビリオン１１１内に効率よく入射させることができる。
【００５１】
［本発明の他の実施の形態］
図８（ａ）、（ｂ）は、本発明の他の実施の形態に係る装飾品の断面構成を模式的に示す説明図、および本発明の他の実施の形態に係る装飾品における接着剤の塗布パターンを示す説明図である。
【００５２】
上記実施の形態１〜４では、基台３０に対してパビリオン１１１側が位置する側に光源装置を配置したが、かかる光源装置を配置しない場合に本発明を適用してもよい。すなわち、図８（ａ）に示すように、基台３０には、宝飾石１０のパビリオン１１１の一部のみが挿入される有底の固定穴３５が形成されており、固定穴３５の斜め上向きの縁部分３５０と、パビリオン１１１において縁部分３５０と対向する部分とが接着剤４０により固定されている。このように構成した場合も、パビリオン１１１の壁面での反射率が高いため、クラウン１１２側から入射した光は、パビリオン１１１で反射して再び、クラウン１１２側から出射されるので、優れた輝きを発揮する。
【００５３】
また、上記実施の形態１〜４において、接着剤４０は、パビリオン１１１の周方向の複数個所に塗布されていたが、宝飾石１０の外径が２．５ｍｍであるなど小さい場合には、図８（ｂ）に示すように、接着剤４０を環状に塗布してもよい。いずれの場合でも、接着剤４０の塗布面積は、パビリオン１１１の面積の４０％以下であることが好ましい。
【００５４】
さらに、上記実施の形態１〜４においては、コーティング層１３が形成された宝飾石１０を用いた例を説明したが、コーティング層１３が形成されていない宝飾石１０を用いる場合に本発明を適用してもよい。さらにまた、光源装置５では、光ファイバなどを用いてもよい。
【００５５】
さらにまた、上記の実施の形態では、固定穴３１、３５を備えた基台３０に対して、宝飾石１０のパビリオン１１１を接着固定した構成であったが、図９に示すように、装飾品１において、宝飾石１０が透光性の樹脂材料からなる基台３８にアウトサートモールドされて基台３８に保持されている構成を採用してもよい。この場合、宝飾石１０のクラウン１１２に基台３８の爪部分３９が被さる構成になるが、基台３０は、爪部分３９も含めて透光性の樹脂材料からなるため、宝飾石１０から出射される光が爪部分３９で遮られることがない。それ故、クラウン１１２が金属製の爪部分で覆われている構成と比較して、宝飾石１０は優れた輝きを発揮することができる。また、金属製の爪部分で固定する場合と違って、爪部分を形成する際、宝飾石１０に傷を付けることもない。さらに、アウトサートモールドであれば、ナイロン樹脂やフッ素樹脂などといった接着機能を有しない樹脂材料を用いて宝飾石１０を保持することもできる。なお、本形態でも、基台３８の下方側に対して、前記した光源装置を配置してもよい。また、宝飾石１０を基台３８に対してより強固に固定する場合には、パビリオン１１１の外周の一部、または全周を樹脂材料によって覆うこともできる。この場合であっても、透光性の樹脂材料で覆うため、金属等でパビリオン１１２を覆う構成と比較して、光を遮らないため宝飾石１０は優れた輝きを発揮することができる。
【図面の簡単な説明】
【００５６】
【図１】（ａ）、（ｂ）は、本発明の実施の形態１に係る装飾品の断面構成を模式的に示す説明図、およびこの装飾品での接着剤の塗布位置を模式的に示す説明図である。
【図２】（ａ）〜（ｄ）は各々、本発明の実施の形態１に係る装飾品に用いた宝飾石（キュービックジルコニア体）の構成を模式的に示す説明図、この宝飾石をラウンドブリリアントカットしたときの側面図、平面図および側面図である。
【図３】（ａ）、（ｂ）は各々、本発明の実施の形態１に係る装飾品に用いた宝飾石（キュービックジルコニア体）に形成したコーティング層の層構成を示す説明図である。
【図４】本発明を適用した装飾品の製造方法でマスクスパッタ法を採用した場合の説明図である。
【図５】本発明の実施の形態２に係る装飾品の断面構成を模式的に示す説明図である。
【図６】本発明の実施の形態３に係る装飾品の断面構成を模式的に示す説明図である。
【図７】本発明の実施の形態４に係る装飾品の断面構成を模式的に示す説明図である。
【図８】（ａ）、（ｂ）は、本発明の他の実施の形態に係る装飾品の断面構成を模式的に示す説明図、および本発明の他の実施の形態に係る装飾品における接着剤の塗布パターンを示す説明図である。
【図９】本発明のさらに他の実施の形態に係る装飾品の平面構成を模式的に示す説明図である。
【図１０】（ａ）、（ｂ）は各々、キュービックジルコニア体の説明図、およびこのキュービックジルコニア体のパビリオンを全面接着した場合の説明図である。
【符号の説明】
【００５７】
１  装飾品
５  光源装置
１０  宝飾石
１１  キュービックジルコニア体
１３  コーティング層
３０  基台
３１、３５  固定穴
３８  基台（透光性の樹脂材料）
３９  爪部分
４０  接着剤（透光性の樹脂材料）
５１  光源
１１１  パビリオン
１１２  クラウン
３１０、３５０  縁部分
【図１】
2009100856.tif 000005
【図２】
2009100856.tif 000006
【図３】
2009100856.tif 000007
【図４】
2009100856.tif 000008
【図５】
2009100856.tif 000009
【図６】
2009100856.tif 000010
【図７】
2009100856.tif 000011
【図８】
2009100856.tif 000012
【図９】
2009100856.tif 000013
【図１０】
2009100856.tif 000014